(57)【特許請求の範囲】
【請求項１】
脚支柱に対して天板が略水平な使用位置と、略垂直な待避位置との間で回動し、且つ前記両位置を係合手段により維持すると共に、該係合手段は前記天板に設けた操作レバーの一方向の移動により解除される折り畳みテーブルの安全操作装置において、
前記操作レバーは前記天板に設けた固定ケース体に摺動可能な摺動ケース体で構成され、安全レバーが前記摺動ケース体に取り付けられると共に前記固定ケースに対して離脱可能な弾性係止爪を有し、前記操作レバーは安全レバーにより一方向の移動が阻止されて前記係合手段を解除不能に維持し、前記安全レバーの他方向への移動により、前記弾性係止爪が固定ケースから離脱して前記操作レバーの前記一方向の移動が解放されることを特徴とする折り畳みテーブルの安全操作装置。
【請求項２】
前記操作レバーは、前記他方向に常に弾性付勢されている請求項１に記載の折り畳みテーブルの安全操作装置。
【請求項３】
前記操作レバーは前記天板の前側中央に前後方向に移動可能に一つ設けられ、前記係合手段は前記天板の左右両側に設けられ、前記操作レバーと前記係合手段は機械的に連結されている請求項１または２に記載の折り畳みテーブルの安全操作装置。
【請求項４】
前記係合手段は、前記脚支柱に設置した支持具に枢着されたフレーム内に摺動自在であって、前記操作レバーにより摺動操作される前記天板側に設けた作動部材と、該作動部材の回動を阻止する前記支持具に形成した係合部とで構成され、前記作動部材の摺動により該作動部材の回動阻止が解除される請求項１ないし３の何れかに記載の折り畳みテーブルの安全操作装置。
【発明の詳細な説明】
【０００１】
【発明の属する技術分野】
本発明は、脚支柱に対して天板が略水平な使用位置と、略垂直な待避位置との間で回動し、且つ前記両位置を係合手段により維持すると共に、該係合手段は前記天板に設けた操作レバーの一方向の移動により解除される折り畳みテーブルの安全操作装置に関する。
【０００２】
【従来の技術】
この種の折り畳みテーブルとしては、本件出願人は天板回動係止部が外部から隠蔽されるようにすると共に、指などが挟まれる危険性が回避され、安全性を向上することができる改良された折り畳みテーブルの操作装置を既に開発している。
【０００３】
図９は上述の本件出願人に係わる天板が水平位置に保持された折り畳みテーブルの操作装置の側面図であり、図１０は同じく天板が起立（略垂直）位置に保持された折り畳みテーブルの操作装置の側面図である。
【０００４】
図９及び図１０に示すように、折り畳みテーブル０１は、天板０２の下面両側部に設けた左右一対の前後方向を向くブラケット０３と、それぞれ左右方向を向く枢軸０５をもって、左右一対のベースＢ上に立設した脚柱０４上端部に枢着することにより、天板０２が、両脚柱０４の上端近くにおいて倒伏する水平の使用位置（図９）と、脚柱０４の前側において起立する折り畳み位置（図１０）との間を回動し得るようになっている。
【０００５】
詳しくは、両脚柱０４の上端部内側面に、枢軸０５が挿通する軸孔（不図示）と、ブラケット０３に対し左右方向を向く２本の係止ピン０８、０９と係合して天板０２を水平の使用位置と起立位置とに保持し得る２個の図示しない係止溝とを前後に有する支持片（不図示）が設けられ、この支持片の上端部と、操作レバー０１３の操作に連動して係止ピン０８、０９と両係止溝との係脱を行う係止ピン移動部材０１５とを、ほぼ下向きコ字形とした一方のブラケット０３の対向する両側板間に収容している。
【０００６】
【発明が解決しようとする課題】
ところが、上述の操作レバー０１３による係止ピン０８、０９と両係止溝との係脱操作が、１回の回動操作のみの単純操作で行われていることで、操作が簡便である反面、操作レバー０１３が物や膝に当って誤操作を招き易く、天板０２に物が載置されていた場合に落下する危険性を有していた。
【０００７】
本発明は、このような状況に鑑みてなされたもので、使用位置と起立位置の両位置に保持される天板を回動操作する際における操作レバーによる解除操作時に誤操作を無くして安全性を図ることができる折り畳みテーブルの安全操作装置を提供することを目的とするものである。
【０００８】
【課題を解決するための手段】
上記課題を解決するために、本発明の折り畳みテーブルの安全操作装置は、脚支柱に対して天板が略水平な使用位置と、略垂直な待避位置との間で回動し、且つ前記両位置を係合手段により維持すると共に、該係合手段は前記天板に設けた操作レバーの一方向の移動により解除される折り畳みテーブルの安全操作装置において、前記操作レバーは前記天板に設けた固定ケース体に摺動可能な摺動ケース体で構成され、安全レバーが前記摺動ケース体に取り付けられると共に前記固定ケースに対して離脱可能な弾性係止爪を有し、前記操作レバーは安全レバーにより一方向の移動が阻止されて前記係合手段を解除不能に維持し、前記安全レバーの他方向への移動により、前記弾性係止爪が固定ケースから離脱して前記操作レバーの前記一方向の移動が解放されることを特徴としている。
この特徴によれば、安全レバーの移動方向と、操作レバーの操作方向を互いに反対になるようにし、安全レバーを移動させない限り操作レバーが操作できないので、誤操作が無く、係合手段の係合状態を確実に維持することができる。また本安全操作装置を２つのケース体に集合させて、天板に対してコンパクトに取り付けることができる。
【０００９】
本発明の折り畳みテーブルの安全操作装置は、前記操作レバーは、前記他方向に常に弾性付勢されていることが好ましい。
このようにすれば、安全レバーを万一操作しても操作レバーを操作しない限り、操作レバーは弾性力により係合手段が係合状態を確実に維持できる位置に保持されるので安全である。
【００１０】
本発明の折り畳みテーブルの安全操作装置は、前記操作レバーは前記天板の前側中央に前後方向に移動可能に一つ設けられ、前記係合手段は前記天板の左右両側に設けられ、前記操作レバーと前記係合手段は機械的に連結されていることが好ましい。
このようにすれば、一箇所に配置した操作レバーの操作により、片手で左右両作動部材２０を同時に操作することができ、操作性が向上するばかりか、天板がフリー状態になった際には他方の手で天板を支えることができるため安全性が向上する。
【００１１】
本発明の折り畳みテーブルの安全操作装置は、前記係合手段は、前記脚支柱に設置した支持具に枢着されたフレーム内に摺動自在であって、前記操作レバーにより摺動操作される前記天板側に設けた作動部材と、該作動部材の回動を阻止する前記支持具に形成した係合部とで構成され、前記作動部材の摺動により該作動部材の回動阻止が解除されることが好ましい。
このようにすれば、操作レバーによる作動部材の摺動作動のみで容易に折り畳みテーブルの姿勢変更が可能となる。
【００１３】
【発明の実施の形態】
以下、本発明の実施例を図面に基づいて説明する。図１は本発明の安全操作装置を備えた折り畳みテーブルを示し、（ａ）は水平な使用状態にある折り畳みテーブルの斜視図、（ｂ）は垂直な待避位置にある折り畳みテーブルの斜視図、図２は使用状態にある折り畳みテーブルの係合手段を示す部分拡大側面図であり、図３の（ａ）は折り畳みテーブルの係合手段を示す一部破断した部分側面図、（ｂ）は天板下面における安全操作装置の分解斜視図である。
【００１４】
先ず、図１には折り畳みテーブル１が示されており、この折り畳みテーブル１は、底面の左右に配置されて前後に開脚された一対の脚支柱４ａ、４ｂの下端に設けられた４個のキャスタＳに支持されて床面３上を移動可能であって、床面３の所定位置に停止保持することができるようになっている。
【００１５】
この折り畳みテーブル１は、図１の（ａ）に示すように、使用状態では脚支柱に対して前方Ｆが手前に位置するように横長矩形の天板２が略水平に保持された状態に維持され、不使用時には図１の（ｂ）に示すように、天板２の前方Ｆが上方に向く略垂直な待避位置に保持した状態に維持されて複数台の折り畳みテーブルと共に重ねて収容することができるようになっている。
【００１６】
そして、上記のよう水平位置と不使用状態となる垂直位置で係合保持した状態で維持される天板２には、両位置間で回動する際に上記の係合状態を解除するために本発明の安全操作装置が設けられている。
【００１７】
また、上記の折り畳みテーブル１は、左右一対の脚支柱４ａ、４ｂの上端に、支持具５ａ、５ｂがそれぞれ取着され、これら左右の支持具５ａ、５ｂ間は連結部材１２で連結されている。更に、天板２は、連結部材１２と横フレーム９ａとの中間にはダンパー装置Ｄが連結されており、天板２が回動した終端位置での衝撃を緩和している。
【００１８】
図２、図３にて天板２下面の構造について詳述すると、図３（ｂ）に示すように、天板２の下面には前後に延びる左右の縦フレーム８ａ、８ｂと、これら一対の縦フレーム８ａ、８ｂ間の前後に接続された横フレーム９ａ、９ｂとから構成されており、縦、横の各フレーム８ａ、８ｂ及び９ａ、９ｂは上方が開口する断面コ字形に形成され、前方に配置される横フレーム９ａ中央の前方側板には後述する操作装置１５に接続される一対のワイヤーＷ１、Ｗ２の端部を挿通するための開口１０が形成されている。
【００１９】
更に、前方の横フレーム９ａには、その下面に上面が開口する断面コ字形のフレームカバー１４が装着されており、その中央前方には開口１０を挿通した一対のワイヤーＷ１、Ｗ２の端部が挿通する挿通孔１４ａ、１４ｂが形成されている。
【００２０】
左右の縦フレーム８ａ、８ｂの略中央には、幅方向に貫通する一対の長孔１６ａ、１６ｂが前後に形成されると共に両長孔１６ａ、１６ｂの中間部には支持孔１８が穿設されている。図３の（ｂ）は、左右同じ構成であるが左側の縦フレーム８ａ側のみ詳細に図示したものであり、主に左側を中心に説明する。
【００２１】
これら縦フレーム８ａの内部には略中央に、係合手段となる直方体状に形成されたブロック状の作動部材２０が前後方向に摺動可能に挿嵌されており、この作動部材２０は、図２及び図３（ａ）に示すように、その前方に前記一方の長孔１６ｂに対応する係止軸２６を挿通する貫通孔２２が穿設されると共に、支持孔１８に対応する長孔２３が形成され、後方には縦フレーム８ａ後方の上部に形成された切欠き溝２１に一端を係止した引っ張りバネ２４の他端を係止するための係止軸３０を挿通する貫通孔２５が穿設されている。
【００２２】
上記のように構成された作動部材２０は、それぞれ縦フレーム８ａ内部の略中間部位に挿嵌されると、それぞれ対応位置にある縦フレーム８ａの長孔１６ｂと作動部材２０前方の貫通孔２２に、図３の（ａ）に示す係止軸２６を挿通すると共に、縦フレーム８ａの後方の長孔１６ａと作動部材２０後方の貫通孔２５に係止軸３０を挿通することで、縦フレーム８ａの内部に組み込まれる。
【００２３】
また、脚支柱４ａ、４ｂ上端の支持具５ａ、５ｂは、図３（ｂ）に示すように、後方の二股支持部６ａには貫通孔３２が穿設されると共に、その後端側対向面には図３（ａ）に示すように、下方で折曲した一対の係合溝（係合部）３５が形成されている。一方、前方の二股支持部６ｂの対向する内面には前方に向けて開口する水平な一対の係合溝（係合部）３４が形成されている。
【００２４】
前方の係合手段を構成する係止軸２６と一対の係合溝３４とが係合することで、天板２が略水平な位置に、後方の係合手段を構成する係止軸３０と一対の係合溝３５とが係合することで、天板２が略垂直な位置に係合維持される。
【００２５】
両支持具５ａ、５ｂの後方二股支持部６ａに穿設された貫通孔３２より作動部材２０の長孔２３に枢軸２８を挿通させることで、天板２は、両脚支柱４ａ、４ｂ上端の支持具５ａ、５ｂに枢軸２８を介して回動可能に枢着される。
【００２６】
両縦フレーム８ａ、８ｂ内にそれぞれ組み込まれた作動部材２０前端に形成された係止溝にはワイヤーＷ１、Ｗ２の一端に設けた係止端部Ｗ１ａ（Ｗ１側のみ図示）が係止され、このワイヤＷ１、Ｗ２は両縦フレーム８ａ、８ｂ及び前方の横フレーム９ａ内に屈曲された状態で収容され、その他端が操作装置１５に接続されている。
【００２７】
そして、縦フレーム８ａ、８ｂ後方の切欠き溝２１に一端を係止した引っ張りバネ２４の他端が作動部材２０の後方に挿入した係止軸３０係止することで、作動部材２０は後方に付勢され、各ワイヤーＷ１、Ｗ２には張力が作用した状態となっている。
【００２８】
次に、操作装置１５につき図４〜図６を参照して詳述する。図４は操作レバーと安全レバーを備えた安全操作装置の分解斜視図、図５は操作レバーを摺動可能に支持する固定部材を裏面から視た斜視図であり、図６は操作装置の操作状態を示す斜視図である。
【００２９】
先ず、図４に示すように、操作装置１５は、係止軸２６と係合溝３４との係合状態の解除、及び係止軸３０と係合溝３５との係合状態を解除する作動部材２０にワイヤーＷ１、Ｗ２を介して連結した操作レバー３６と、天板２前方の裏面中央に固定され前記操作レバー３６を前後方向に移動可能に係合保持する固定部材３８と、固定部材３８の一対の係止爪４２ａ、４２ｂに弾性係合する弾性係止爪４０ａ、４０ｂを有し、後方に押すことでその係合が解除されるようにした安全レバー４０とから構成されている。
【００３０】
詳しくは、操作レバー３６は、合成樹脂材で一体成形されており、固定ケース体として構成された固定部材３８に対しスライド可能に係合すべく下面に把持部３６ａ（図６参照）を凹設した摺動ケース体で構成されている。
【００３１】
安全レバー４０は、操作レバー３６の摺動ケース体と固定部材３８の固定ケース体の内部に配置されて、頭部の解除操作ボタン４４が摺動ケース体３６前方に形成された挿通孔３６ｂを挿通して両ケース体から外部に突設している。そしてこの安全レバー４０は左右幅方向に弾性変形可能な一対の弾性係止爪４０ａ、４０ｂと、解除操作ボタン４４の中央に操作方向に貫通形成されたガイド孔４５と、上記一対の弾性係止爪４０ａ、４０ｂから更に解除操作ボタン４４の両側に沿って延設されて両外側に折曲した弾性帯４６ａ、４６ｂの端部に設けられた係止孔４８ａ、４８ｂとで構成されている。このように安全レバー４０を両ケース体３６、３８に挟み込んで全体としてコンパクトな操作装置１５を構築している。
【００３２】
更に詳しくは、操作レバー３６は、弾性帯４６ａ、４６ｂ端部の両係止孔４８ａ、４８ｂを係止するための一対の係止ボス５０ａ、５０ｂと、これら係止ボス５０ａ、５０ｂの内側に突設配置され前記弾性帯４６ａ、４６ｂの折曲部の幅方向の変形を規制する一対のボス５２ａ、５２ｂと、ガイド孔４５に挿嵌して前記安全レバー４０を操作方向に案内するガイド片５４と、ガイド片５４の操作方向両側に突設し上記ワイヤーＷ１、Ｗ２の他端係止片Ｗ１ｂ、Ｗ２ｂを係止する装着ボス５５ａ、５５ｂと、固定部材３８と摺動連結する一対のガイドレール５６ａ、５６ｂとから構成されている。
【００３３】
一方、固定部材３８は、図５に示すように、角形のベースプレート５８の底面に形成された一対の係止爪４２ａ、４２ｂと、これに連接した側板６０ａ、６０ｂの外側に形設した前記一対のガイドレール５６ａ、５６ｂを摺動案内する一対のガイド溝６２ａ、６２ｂと、両側板６０ａ、６０ｂ間に配設された枠部材６４とで構成され、圧縮コイルバネ６８を外装した規制軸６６がこの枠部材６４の挿通孔６５を挿通し、その先端のネジ部６６ａを前記操作レバー３６に螺着することで、操作レバー３６を常に後方側にバネ付勢している。
【００３４】
次に、上記のように構成された操作装置１５の組立手順に付き図４〜図６を参照して説明する。
【００３５】
先ず、安全レバー４０のガイド孔４５に摺動ケース体３６のガイド片５４を挿入すると共に、一対のボス５２ａ、５２ｂの内側に弾性帯４６ａ、４６ｂの折曲部を係止して、両端の係止孔４８ａ、４８ｂを一対の係止ボス５０ａ、５０に挿嵌することで、解除操作ボタン４４を挿通孔３６ｂより挿通して外部に突設させる。
【００３６】
次いで、両装着ボス５５ａ、５５ｂに、ワイヤーＷ１、Ｗ２他端の係止片Ｗ１ｂ、Ｗ２ｂを装着し、ガイドレール５６ａ、５６ｂを固定部材３８のガイド溝６２ａ、６２ｂに挿嵌することで固定部材３８にはその下面を覆うように操作レバー３６が取付けられ、この状態で固定部材３８が天板２前方の裏面中央に固定される。
【００３７】
このようにして、取り付けられた操作装置１５により解除操作する際は、図６に示すように、人手Ｈの親指により解除操作ボタン４４を押圧しつつケース体下面の把持部３６ａに他の指を係止して操作レバー３６を手前に引き出すことにより、作動部材２０前方の係合手段（係止軸２６と係合溝３４との係合）、または後方の係合手段（係止軸３０と係合溝３５との係合）を解除操作することができる。
【００３８】
操作装置１５による解除操作手順につき図７の（ａ）〜（ｃ）及び図８の（ａ）〜（ｃ）を参照して説明する。
【００３９】
図７の（ａ）〜（ｃ）は、初期位置から安全レバーの押圧操作と共に係合解除操作を行うまでの操作説明図、図８の（ａ）〜（ｃ）は、係合解除操作から初期位置に復帰するまでの操作説明図である。
【００４０】
先ず、図７の（ａ）に示す操作装置１５は、初期位置にある状態を示しており、この状態では、天板２は、図１の（ａ）に示すように水平な使用位置か、（ｂ）に示す垂直な待避位置にある状態となっている。
【００４１】
このとき、安全レバー４０の解除操作ボタン４４は、一対の係止爪４２ａ、４２ｂと係合した弾性係止爪４０ａ、４０ｂのばね力により操作レバー３６のケースに形成された挿通孔３６ｂを挿通して突設した状態となっており、同時に操作レバー３６の摺動ケース体は、規制軸６６に外装された圧縮コイルバネ６８の付勢力と、引っ張りバネ２４により後方に付勢する作動部材２０に連結された両ワイヤーＷ１、Ｗ２との協働作用で後方に向けて付勢されている。
【００４２】
そこで、図７の（ｂ）に示すように、安全レバー４０の解除操作ボタン４４を後方に向けて押圧すると、両弾性係止爪４０ａ、４０ｂの爪間は内側に弾性変形して、対向する両係止爪４２ａ、４２ｂの間隔より縮小変形して、各爪の係合が解除される。
【００４３】
次に、図７の（ｃ）に示すように、解除操作ボタン４４を押圧した状態で、操作レバー３６の摺動ケース体を手前側に引き出すことで、操作レバー３６の装着ボス５５ａ、５５ｂに係止片Ｗ１ｂ、Ｗ２ｂが係止されたワイヤーＷ１、Ｗ２を介して作動部材２０を引っ張りバネ２４に抗して前方に移動させることができる。
【００４４】
これにより、天板２が水平位置にある場合は、作動部材２０前方側の係止軸２６両端が脚柱４ａ、４ｂ上端に設けられた支持具５ａ、５ｂ前方二股支持部６ｂの一対の係合溝３４から離脱する。
【００４５】
また、天板２が垂直状態にある場合は、作動部材２０後方側の係止軸３０両端が脚柱４ａ、４ｂ上端に設けられた支持具５ａ、５ｂ後方における後方二股支持部６ａの後端側対向面に設けられた下方で折曲した一対の係合溝３５から離脱する。そこで、フリーな状態となった天板２は、垂直位置から枢軸２８を中心として水平状態に回動可能となる。
【００４６】
次いで、図８の（ａ）に示すように、解除操作ボタン４４から指を外して押圧操作を解除すると、弾性係止爪４０ａ、４０ｂは、弾性帯４６ａ、４６ｂの弾性力により元の位置に復帰し、操作レバー３６の摺動ケース体は、図８の（ｂ）に示すように、規制軸６６の圧縮コイルバネ６８と、引っ張りバネ２４により付勢される作動部材２０に連結された両ワイヤーＷ１、Ｗ２との協働作用で後方に移動する。
【００４７】
更に、図８の（ｃ）に示すように、操作レバー３６は、後方に移動する際に両弾性係止爪４０ａ、４０ｂが係止爪４２ａ、４２ｂの対向する斜面に沿って後方に移動つつ内側に弾性変形して乗り越えると、図７の（ａ）に示す初期位置に復帰し、一連の解除操作が完了する。
【００４８】
従って、上記のように構成された折り畳みテーブルの操作装置によれば、略水平な使用位置と、前方が上方に位置する略垂直な待避位置に維持された天板２を解除操作する操作レバー３６による係合解除操作が、安全レバーの解除操作ボタン４４の解除操作により可能になるように構成されていて、解除操作ボタン４４の移動方向と操作レバー３６の解除方向が正反対となっているので、操作レバー３６による解除操作時に誤操作が無く、安全性を図ることができる。
【００４９】
また、天板２が水平または垂直の両位置にある時、作動部材２０に接続されている一対のワイヤーＷ１、Ｗ２を単一の操作レバー３６に連結することで、片手で操作装置１５を操作して左右両作動部材２０を同時に操作することができ、操作性が向上するばかりか、天板２がフリー状態になった際には他方の手で天板２を支えることができるため安全性が向上する。
【００５０】
【発明の効果】
本発明は以下の効果を奏する。
【００５１】
（ａ）請求項１項の発明によれば、安全レバーの移動方向と、操作レバーの操作方向を互いに反対になるようにし、安全レバーを移動させない限り操作レバーが操作できないので、誤操作が無く、係合手段の係合状態を確実に維持することができる。また本安全操作装置を２つのケース体に集合させて、天板に対してコンパクトに取り付けることができる。
【００５２】
（ｂ）請求項２項の発明によれば、安全レバーを万一操作しても操作レバーを操作しない限り、操作レバーは弾性力により係合手段が係合状態を確実に維持できる位置に保持されるので安全である。
【００５３】
（ｃ）請求項３項の発明によれば、一箇所に配置した操作レバーの操作により、片手で左右両作動部材２０を同時に操作することができ、操作性が向上するばかりか、天板がフリー状態になった際には他方の手で天板を支えることができるため安全性が向上する。
【００５４】
（ｄ）請求項４項の発明によれば、操作レバーによる作動部材の摺動作動のみで容易に折り畳みテーブルの姿勢変更が可能となる。
【図面の簡単な説明】
【図１】本発明の安全操作装置を備えた折り畳みテーブルを示し、（ａ）は水平な使用状態にある折り畳みテーブルの斜視図、（ｂ）は垂直な待避位置にある折り畳みテーブルの斜視図である。
【図２】使用状態にある落ちた民テーブルの係合手段を示す部分拡大側面図である。
【図３】（ａ）は折り畳みテーブルの係合手段を示す一部破断した部分側面図、（ｂ）は天板下面における安全操作装置の分解斜視図である。
【図４】操作レバーと安全レバーを備えた安全操作装置の分解斜視図である。
【図５】操作レバーを摺動可能に支持する固定部材を裏面から視た斜視図である。
【図６】操作装置の操作状態を示す斜視図である。
【図７】（ａ）〜（ｃ）は、初期位置から安全レバーの押圧操作と共に係合解除操作を行うまでの操作説明図である。
【図８】（ａ）〜（ｃ）は、係合解除操作から初期位置に復帰するまでの操作説明図である。
【図９】天板が水平位置に保持された状態を示す従来の折り畳みテーブルの側面図である。
【図１０】天板が起立状態に折り畳まれた状態を示す従来の折り畳みテーブルの側面図である。
【符号の説明】
１                    折り畳みテーブル
２                    テーブル（天板）
３                    床面
４ａ、４ｂ            脚支柱
５ａ、５ｂ            支持具
６ａ                  後方二股支持部
６ｂ                  前方二股支持部
８ａ、８ｂ            縦フレーム
９ａ、９ｂ            横フレーム
１０                  開口
１２                  連結部材
１４                  フレームカバー
１４ａ、１４ｂ        挿通孔
１５                  操作装置
１６ａ、１６ｂ        長孔
１８                  支持孔
２０                  作動部材
２１                  切欠き溝
２２                  貫通孔
２３                  長孔
２４                  引っ張りバネ
２５                  貫通孔
２６、３０            係止軸
２８                  枢軸
３２                  貫通孔
３４、３５            係合溝（係合部）
３６                  操作レバー（摺動ケース体）
３６ａ                把持部
３６ｂ                挿通孔
３８                  固定部材（固定ケース体）
４０                  安全レバー
４０ａ、４０ｂ        弾性係止爪
４２ａ、４２ｂ        係止爪
４４                  解除操作ボタン
４５                  ガイド孔
４６ａ、４６ｂ        弾性帯
４８ａ、４８ｂ        係止孔
５０ａ、５０ｂ        係止ボス
５２ａ、５２ｂ        ボス
５４                  ガイド片
５５ａ、５５ｂ        装着ボス
５６ａ、５６ｂ        ガイドレール
５８                  ベースプレート
６０ａ、６０ｂ        側板
６２ａ、６２ｂ        ガイド溝
６４                  枠部材
６５                  挿通孔
６６                  規制軸
６６ａ                ネジ部
６８                  圧縮コイルバネ
Ｄ                    ダンパー装置
Ｆ                    前方
Ｈ                    人手
Ｗ１、Ｗ１            ワイヤー
Ｗ１ａ、Ｗ２ａ        係止片
Ｗ１ｂ、Ｗ２ｂ        係止片
【図１】
0004000271.tif 000002
【図２】
0004000271.tif 000003
【図３】
0004000271.tif 000004
【図４】
0004000271.tif 000005
【図５】
0004000271.tif 000006
【図６】
0004000271.tif 000007
【図７】
0004000271.tif 000008
【図８】
0004000271.tif 000009
【図９】
0004000271.tif 000010
【図１０】
0004000271.tif 000011